(57)【要約】【課題】ラインが描かれた紙を、右ハンドル車の場合、車両進行方向左側の前輪側面接地点と後輪側面接地点を結んで車両進行方向に伸ばした線と、前述のラインがフロントガラスに写り込んだ線が、運転者からの視点で重なる位置に接着し、その写り込んだラインと車線等を比較しやすくさせ、車両感覚がつかめていない運転初心者でも安心して運転できる表示装置において、運転者の交代や姿勢の変化の際、ラインが描かれている紙を剥がし、接着し直す必要がある。上級者の運転時には、表示が必要ない可能性もある。したがって、取り付け位置の調整や、取り付け、取り外し、非表示の作業を容易にすることが課題である。【解決手段】ラインが描かれている物の材質を、両面又は片面のいずれかに滑り止め機能の付いたシート又はジェルに変更する事により、取り付け位置の調整や、取り付け、取り外し、非表示の作業を、容易かつ安価で実現できる。【選択図】図１
2015205524.tif 000002
【特許請求の範囲】
【請求項１】
運転者とフロントガラスの間に設置したシートに描かれた図形、マーク、記号、数字、イラスト、絵、写真のいずれかを、移動手段のフロントガラスに写り込ませることにより、運転支援情報を表示する表示装置において、両面又は片面のいずれかに滑り止め機能の付いたシート状のものを用いることにより、取り付け位置の調整や、取り付け、取り外し、非表示の作業が容易かつ安価に行えることを特徴とする表示装置。
【請求項２】
前記移動手段とは車両である請求項１に記載の表示装置。
【請求項３】
前記シート状のものとはシート又はジェルである請求項１又は請求項２に記載の表示装置。
【請求項４】
前記運転者とフロントガラスの間とはインストルメントパネル上である請求項１から３のいずれかに記載の表示装置。
【請求項５】
前記図形、マーク、記号、数字、イラスト、絵、写真のいずれかとは図形、マーク、記号、数字のいずれかである請求項１から４のいずれかに記載の表示装置。
【請求項６】
前記図形、マーク、記号、数字、イラスト、絵、写真のいずれかとはラインである請求項１から４のいずれかに記載の表示装置。
【請求項７】
前記運転支援情報とは右ハンドル車の場合は車両進行方向左側の車両側面が通過する位置、左ハンドル車の場合は車両進行方向右側の車両側面が通過する位置、の目安となるラインである請求項１から６のいずれかに記載の表示装置。
【発明の詳細な説明】
【技術分野】
【０００１】
本発明は、車両の運転者の認知すべき情報をフロントガラス上に表示する車両の表示装置に関する技術分野に属する。
【背景技術】
【０００２】
一本のラインが描かれた紙を、例えば右ハンドル車の場合、車両進行方向左側の前輪側面接地点と後輪側面接地点を結んで車両進行方向に伸ばした線と、前述の紙に描かれたラインがフロントガラスに写り込んだ線が、運転者からの視点で重なる位置（インストルメントパネル上のフロントガラス付近）に接着し、その写り込んだラインと車線や縁石等を比較しやすくさせ、自車の車両感覚がつかめていない運転初心者でも安心して運転できる表示装置。
【先行技術文献】
【非特許文献】
【０００３】
【非特許文献１】日産自動車ホームページ  カーライフサポート  日産ドライブナビ  ビギナードライブ！Ｐａｒｔ１「運転基礎編」「ラインシート」
【発明の概要】
【発明が解決しようとする課題】
【０００４】
上記の技術で確かに車両感覚のつかめていない運転者の運転技術のサポートになっているが、運転者が変わった際、または運転姿勢の変化の際に、接着したラインが描かれている紙を剥がし、再度接着し直す必要がある。また、上級運転者が運転する際には、表示の必要がない可能性がある。したがって、取り付け位置の調整や、取り付け、取り外し、ラインの非表示の作業を容易にできることが課題である。
【課題を解決するための手段】
【０００５】
本案は、ラインが描かれているものの材質を、両面又は片面のいずれかに滑り止め機能の付いたシート又はジェルに変更する事により、取り付け位置の調整や、取り付け、取り外し、ラインの非表示の作業を、容易かつ安価で実現できる新規な提案を行なうものである。
【０００６】
両面又は片面のいずれかに滑り止め機能の付いたシート又はジェルの片面にラインを描き、ラインが描かれている面を上にしてインストルメントパネル上に設置する。滑り止め機能が付いているので、接着する必要がなく、置くだけで簡単に設置でき、微調整や取り付け、取り外しが容易に行える。
【０００７】
また、ラインの描かれてない面を上にしてインストルメントパネル上に設置すれば、前述のサポート機能の効果が必要でない上級運転者が運転する際にラインを非表示にする事ができる。片面のみに滑り止め機能を有している場合は、前記シート又はジェルを取り外す事によりラインを非表示にすることができる。
【発明の効果】
【０００８】
以上の説明のように、本発明を用いれば、運転者が変わった際、または運転姿勢の変化の際の取り付け位置の調整や、取り付け、取り外し、上級運転者が運転する際のラインの非表示を容易かつ安価に実現することができる。
【図面の簡単な説明】
【０００９】
【図１】本発明の実施形態に係る表示装置が搭載された車両の車室内の運転席前方部分を示す説明図である。
【図２】実施の形態に係るの車両進行方向を背面とした場合の模式的な左側面図である。
【図３】実施の形態に係るの車両進行方向を背面とした場合の模式的な平面図である。
【図４】本発明に用いるシートの配置を示すインストルメントパネルの模式的な部分平面図である。
【発明を実施するための形態】
【００１０】
運転者が変わった際、または運転姿勢の変化の際の取り付け位置の調整や、取り付け、取り外し、上級運転者が運転する際のラインの非表示を容易かつ安価に実現するという目的を、滑り止め機能を材質に付加することによって実現した。
【実施例１】
【００１１】
図１は、車両の車室内の運転席前方部分であり、インストルメントパネル５上面のフロントガラス１付近にライン２１を描いた両面又は片面のいずれかに滑り止め機能の付いたシート又はジェル３を設置する。
【００１２】
ライン２１を描いた両面又は片面のいずれかに滑り止め機能の付いたシート又はジェル３のラインがフロントガラス１に写り込み、その写り込んだラインをサポートライン２とする。
【００１３】
図２は模式的な左側面図であり、図３は模式的な平面図である。運転者１０の視点からサポートライン２と車両進行方向左側の前輪側面接地点と後輪側面接地点を結んで車両進行方向に伸ばした線１３が重なる位置１４、もしくは車両進行方向左側の前輪側面接地点と後輪側面接地点を結んで車両進行方向に伸ばした線１３と並行となる線１５（例えば、右ハンドルの場合、０．２ｍ〜２ｍ程度の任意の距離分を車両進行方向左に移動し、余裕を持たせた線）が重なる位置１６になるように、両面又は片面のいずれかに滑り止め機能の付いたシート又はジェル３の設置位置を調整する。
【００１４】
また、前述のサポート機能の効果が必要でない上級運転者が運転する際には、両面又は片面のいずれかに滑り止め機能の付いたシート又はジェル３を裏返しに設置すれば、サポートライン２を非表示にする事ができる。片面のみに滑り止め機能を有している場合は、前記両面又は片面のいずれかに滑り止め機能の付いたシート又はジェル３を取り外す事によりサポートライン２を非表示にすることができる。
【００１５】
夜間使用の際には、蛍光、蓄光、発光のいずれかの機能を有した塗料で前記ライン２１を描いた両面又は片面のいずれかに滑り止め機能の付いたシート又はジェル３を使用することにより、視認性を向上させることができる。
【００１６】
図４は両面又は片面のいずれかに滑り止め機能の付いたシート又はジェル３の設置位置を示すインストルメントパネルの部分平面図である。
【産業上の利用可能性】
【００１７】
鉄道、船、農業用機械（トラクタなどのフロントガラスの付いていて、運転者が乗り込んで操縦するタイプ）、建築用重機（パワーショベル、クレーン車、フォークリフトなど）などのフロントガラス付き車両の運転者をサポートする表示用途にも適用できる。
【符号の説明】
【００１８】
１    フロントガラス
２    サポートライン
３    両面又は片面のいずれかに滑り止め機能の付いたシート又はジェル
４    ステアリング
５    インストルメントパネル
１０    運転者
１１    運転者の視線
１２    車両
１３    車両進行方向左側の前輪側面接地点と後輪側面接地点を結んで車両進行方向に伸ばした線
１４    運転者の視点で、サポートラインと車両進行方向左側の前輪側面接地点と後輪側面接地点を結んで車両進行方向に伸ばした線が重なる位置
１５    車両進行方向左側の前輪側面接地点と後輪側面接地点を結んで車両進行方向に伸ばした線と並行となる線
１６    運転者の視点で、サポートラインと、車両進行方向左側の前輪側面接地点と後輪側面接地点を結んで車両進行方向に伸ばした線と並行となる線が、重なる位置
２１    ライン
【図１】
2015205524.tif 000003
【図２】
2015205524.tif 000004
【図３】
2015205524.tif 000005
【図４】
2015205524.tif 000006